(57)【要約】【課題】制御端末の存在場所を一定箇所に保ち易くしつつ、ユーザの利便性を向上し得るクレードルを提供することを目的とする。【解決手段】長方形板状の制御端末２を収容するためのクレードル３であって、クレードル３は、制御端末１の４側面のうちの一に接続される電力供給用のケーブルを有しており、制御端末２を収容した状態において制御端末２の４側面のうち少なくとも３つを覆う枠部を含み、枠部は、制御端末が載置され少なくとも下部を構成するベース枠部３２と、少なくとも上部を構成し、ベース枠部３２と分離可能なカバー枠部３１とを含み、制御端末２を収容した状態において、ベース枠部からカバー枠部が分離された場合に、ケーブルが露出する。【選択図】図８
2018164239.tif 000002
【特許請求の範囲】
【請求項１】
長方形板状の制御端末を収容するためのクレードルであって、
前記制御端末を収容した状態において前記制御端末の４側面のうち少なくとも３つを覆い、
前記クレードルは、
前記制御端末の４側面のうちの一に接続されるケーブルと、
前記制御端末が載置され少なくとも下部を構成するベース枠部と、
少なくとも上部を構成し、前記ベース枠部と分離可能なカバー枠部とを備え、
前記制御端末を収容した状態において、前記ベース枠部から前記カバー枠部が分離された場合に前記ケーブルが露出する
ことを特徴とするクレードル。
【請求項２】
前記ベース枠部は、前記ケーブルの少なくとも一部を格納するケーブル格納空間を有する
ことを特徴とする請求項１記載のクレードル。
【請求項３】
前記ベース枠部は、前記制御端末の下部を格納する内部空間を有し、
前記内部空間と前記ケーブル格納空間とは仕切り部により仕切られている
ことを特徴とする請求項２記載のクレードル。
【請求項４】
前記仕切り部は、前記ケーブルの太さより大きく、前記制御端末の厚さより小さい幅の間隙を有している
ことを特徴とする請求項３記載のクレードル。
【請求項５】
前記仕切り部は、前記ケーブルの一部が前記ケーブルの自重により、前記間隙を通じて前記内部空間から前記ケーブル格納空間に落ちこむよう傾斜が設けられている
ことを特徴とする請求項４記載のクレードル。
【発明の詳細な説明】
【技術分野】
【０００１】
本発明は、照明装置等を制御する制御端末を収納できるクレードルに関する。
【背景技術】
【０００２】
近年、照明装置を無線で制御するためにタブレット端末などの制御端末が用いられ始めている。制御端末は、使用されないときには原則、充電機能を有する載置台に置かれる（特許文献１）。ユーザは、制御端末を載置台から簡単に取り外して、自由に移動させることが可能である。
【先行技術文献】
【特許文献】
【０００３】
【特許文献１】国際公開第２０１２／１７２６６１号
【発明の概要】
【発明が解決しようとする課題】
【０００４】
ここで、比較的広い共用エリアの天井に設置された照明装置を１台の制御端末で制御する場合、ユーザは、制御端末を載置台から取り外して移動し、照明装置の制御に使用したのち、載置台に戻すことなく移動先に置いたままにするといったことが起こり得る。そうすると、他のユーザが制御端末を使おうとしたときに、載置台に制御端末が置かれておらず、すぐに制御端末が見つけられないという問題が生じる。また、制御端末を壁に固定してしまうと、その固定された場所でしか制御端末を操作することができず、ユーザにとって利便性が悪いという問題がある。
【０００５】
本発明は、係る問題に鑑みてなされたものであり、制御端末の存在場所を一定箇所に保ち易くしつつ、ユーザの利便性を向上し得るクレードルを提供することを目的とする。
【課題を解決するための手段】
【０００６】
上記課題を解決するために本発明に係るクレードルは、長方形板状の制御端末を収容するためのクレードルであって、前記制御端末を収容した状態において前記制御端末の４側面のうち少なくとも３つを覆い、前記クレードルは、前記制御端末の４側面のうちの一に接続されるケーブルと、前記制御端末が載置され少なくとも下部を構成するベース枠部と、少なくとも上部を構成し、前記ベース枠部と分離可能なカバー枠部とを備え、前記制御端末を収容した状態において、前記ベース枠部から前記カバー枠部が分離された場合に前記ケーブルが露出する。
【発明の効果】
【０００７】
上述の構成により、本発明に係るクレードルは、本発明に係るクレードルは、制御端末を収容した状態において、ケーブルが露出するのを防ぎ、意匠性を向上させることができる。
【図面の簡単な説明】
【０００８】
【図１】本発明の一実施形態に係る照明制御システムの外観を示す斜視図
【図２】（ａ）図１に示すタブレット端末の外観を表す正面図、（ｂ）同上面図、（ｃ）同第１側面の図
【図３】図１に示すクレードルの正面図
【図４】（ａ）図３に示すクレードルの上部を構成するカバー枠部の上側斜視図、（ｂ）同下側斜視図
【図５】図３に示すクレードルの背面図
【図６】図３に示すクレードルの下部を構成するベース枠部
【図７】図３のＸ−Ｘ断面を示す模式図
【図８】クレードルの内部空間に収容されたタブレットの取り出しについて説明するための（ａ）正面図、（ｂ）カバー枠部３１を取り外したときの図、（ｃ）タブレット端末２を取り出したときの図
【図９】ＵＳＢプラグの取り外しについて説明するための側面図であって、（ａ）カバー枠部３１を取り外したときの図、（ｂ）タブレット端末２を取り出したときの図
【発明を実施するための形態】
【０００９】
以下、本発明の一実施形態に係るクレードルを含む照明制御システム１について図面を参照しながら説明する。
【００１０】
＜第１の実施形態＞
照明制御システム１は、図１に示すように、制御端末の一例としてのタブレット端末２（図２参照）と、タブレット端末２を内部空間に収容可能なクレードル３（図３参照）を備える。タブレット端末２は、照明装置（図示せず）に対し、照明装置に動作指示する制御情報を無線通信により送信する機能を有する。無線通信は一例としてＩＥＥＥ８０２．１１、ＩＥＥＥ８０２．１５．１やＩＥＥＥ８０２．１５．４規格などの近距離無線通信である。
【００１１】
クレードル３は、壁付けされる。また、タブレット端末２は、通常、クレードル３の内部空間に収容されたまま使用される。以下、タブレット端末２が、クレードル３の内部空間に収容された状態を「収容状態」という。タブレット端末２は、通常、クレードル３が壁付けされている場所に位置し、ユーザはクレードル３の壁付けされた場所を探してみることでタブレット端末２を見つけられる可能性が高いので、ユーザにとって便利である。
【００１２】
また、クレードル３は、カバー枠部３１がベース枠部３２から外れるよう構成されている（図４参照）。クレードル３のカバー枠部３１が取り外されると、クレードル３の内部空間に収容されていたタブレット端末２が、クレードル３から取り出し可能な状態で露出するとともに、タブレット端末２に電力を供給するためのケーブル３２４が露出する。ケーブル３２４の先端にはプラグ３２４ｂが配されており、タブレット端末２が備えるソケット２３に接続されている。
【００１３】
このとき、クレードル３において壁に配置される背面部３２０とプラグ３２４ｂとの間に、ユーザの指が入るだけの十分な間隔がなく、ユーザがプラグを把持しにくい状態となっている。
【００１４】
しかし、クレードル３は、この状態でユーザがタブレット端末２を持ち上げると、ケーブル３２４もタブレット端末２に付随して持ち上がるよう構成されている。ユーザは、ケーブル３２４とプラグ３２４ｂの取り外しが容易になるような位置にタブレット端末２を動かすことができるので、ユーザにとって便利である。
【００１５】
以下では、照明制御システム１の各構成について、より詳細に説明する。
【００１６】
＜タブレット端末２＞
タブレット端末２は、照明装置等を制御するための制御端末として機能する。タブレット端末２は、長方形板状の外観を有する。タブレット端末２は、コンピュータ及びコンピュータを制御端末として機能させるためのプログラムを実行する。タブレット端末２は、具体的には、図２（ａ）に示すように、本体部２１の正面にタッチパネル２２が嵌め込まれた可搬型の情報端末であり、一般的なタブレット端末が有する通信機能、データ処理機能、入出力機能を一通り備える。本体部２１の上面２１ａには、図２（ｂ）に示すように操作ボタン２４が配されている。本体部２１の第１側面２１ｂには、図２（ｃ）に示すようにＵＳＢソケット２３が配されている。
【００１７】
本体部２１は、筐体内部にＣＰＵ（Ｃｅｎｔｒａｌ  Ｐｒｏｃｅｓｓｉｎｇ  Ｕｎｉｔ）、プログラムを格納するＲＯＭ（Ｒｅａｄ  Ｏｎｌｙ  Ｍｅｍｏｒｙ）、及びＲＡＭ（Ｒａｎｄｏｍ  Ａｃｃｅｓｓ  Ｍｅｍｏｒｙ）、照明装置と無線通信を行うための通信デバイスを備える（いずれも図示せず）。ここで、タブレット端末２と照明装置とは、直接通信をする必要はなく、照明装置に送信される照明制御信号を中継するためのゲートウェイ装置などの中継装置を介して通信することとしてもよい。ＣＰＵは、タッチパネル２２、後述の操作ボタン２４を用いてユーザにより入力されるユーザ指示に応じた情報を、タッチパネル２２及び操作ボタン２４から受け取り、受け取った情報に従った処理を実行する。
【００１８】
タッチパネル２２は、表示装置と位置入力装置とを組み合わせた電子部品である。表示装置は、一例として液晶パネルである。また、位置入力装置は、一例としてタッチパッドである。タッチパネル２２は、ユーザにより接触された位置に対応するユーザ指示を示す情報をＣＰＵに通知する。
【００１９】
ＵＳＢ（Ｕｎｉｖｅｒｓａｌ  Ｓｅｒｉａｌ  Ｂｕｓ）ソケット２３は、マイクロＵＳＢのソケットである。ＵＳＢソケット２３は、電力供給を受けるためのピン、データ通信に使用するためのピンを備える。
【００２０】
操作ボタン２４は、タブレット端末２に電源オン・オフ、ボリュームアップ／ダウンなどのユーザ指示を入力するための１個以上のボタンから成る。操作ボタン２４は、ユーザによりなされる操作ボタン２４に対する操作に応じた信号をＣＰＵに伝える。
【００２１】
＜クレードル３＞
クレードル３は、略額縁状の外形を有し、図１に示すように、タブレット端末２をタッチパネル２２が露出する態様で内部空間３４（図３参照）に収容する機能、及びタブレット端末２に電力供給を行う機能を有する装置である。クレードル３は、図３に示すように、嵌合してクレードル３の外形を構成するカバー枠部３１及びベース枠部３２を備える。
【００２２】
カバー枠部３１は、クレードル３の少なくとも上部を構成するカバー部材であり、図４（ａ）及び図４（ｂ）に示すように略Ｌ字型の形状を有する。カバー枠部３１は、クレードル３の上面を含むカバー枠上側部３１ａ、及びクレードル３の一側面の一部分を含むカバー枠横側部３１ｂを備える。
【００２３】
カバー枠上側部３１ａには、収容状態において、操作ボタン２４が外部に露出して操作可能となるよう開口３１ｃが設けられている。図４（ａ）及び図４（ｂ）に示すように、カバー枠上側部３１ａは、カバー枠横側部３１ｂが位置する端部とは反対側の端部に、ネジ穴３１ｄを備えた固定部３１ｅを備える。固定部３１ｅのネジ穴３１ｄには、図３に示すネジ３３がねじ止め可能である。これにより、カバー枠部３１とベース枠部３２とが分離しないように固定することができる。
【００２４】
カバー枠横側部３１ｂは、収容状態において、ＵＳＢケーブル３２４を覆う機能を有する。カバー枠横側部３１ｂは、ベース枠部３２と対向する面側に柱状の凸部３１ｆを備える。凸部３１ｆは、カバー枠部３１がベース枠部３２と嵌合された場合に、先端部分がベース枠部３２の凹部３２０ｈ（図６参照）に嵌まり込む。これにより、ベース枠部３２とカバー枠部３１とが外れにくくなる。
【００２５】
ベース枠部３２は、タブレット端末２が載置され、クレードル３の外形の少なくとも下部の部分を構成している。
【００２６】
ベース枠部３２は、図５に示す背面Ｂ１に端子台部３２１及び電源部３２２を備える。
【００２７】
ベース枠部３２には、背面Ｂ１から、背面Ｂ１に対向する前面Ｆ１側へ貫通する開口３２３が設けられている。電源部３２２には、ＵＳＢケーブル３２４の線部３２４ａの一端が接続されている。ＵＳＢケーブル３２４は、電源部３２２とタブレット端末２とを接続する電力供給用のケーブルである。ＵＳＢケーブル３２４は、例えば、マイクロＵＳＢケーブルである。線部３２４ａの他端には、ＵＳＢプラグ３２４ｂが接続されている。線部３２４ａは、開口３２３を、背面Ｂ１側から前面Ｆ１側へと通されている。
【００２８】
図６を参照して、背面部３２０ａの前面Ｆ１には、凸部３１ｆの先端部分が突入可能な凹部３２０ｈが設けられている。
【００２９】
また、前面Ｆ１には、凸部３２１ｉが設けられている。凸部３２１ｉの側面は、タブレット端末２がベース枠部３２に載置された場合に、タブレット端末２の第１側面２１ｂに対向する。そして、凸部３２１ｉは、タブレット端末２が左右方向に所定の余裕距離以上スライドしないようにスライドを規制する。
【００３０】
図５に示す端子台部３２１は、電線を分岐し、また中継するための部材である。端子台部３２１は、電源部３２２と電線３２５を介して電気的に接続している。端子台部３２１には、外部の電力供給元から供給される電力を伝送するための電線（以下「電力線」という）が接続される。端子台部３２１は、接続された電力線と電線３２５とを電気的に接続する。これにより、電源部３２２に外部から電力が供給される。
【００３１】
電源部３２２は、外部から供給された電力を変換してクレードル３に収容される装置へＵＳＢケーブル３２４を介して供給する機能を有する電源装置である。
【００３２】
ベース枠部３２は、図６及び図７に示すように、背面部３２０ａ、フロント板部３２０ｂ、第１側板部３２０ｃ、第２側板部３２０ｄ及び底板部３２０ｅを備える。なお、図７では、端子台部３２１及び電源部３２２の断面は、外形を構成する部分についてのみ記載している。なお、ベース枠部３２は、背面部３２０ａの全てを必ずしも含む必要はなく、背面部３２０ａの少なくとも一部を含む構成としてもよい。また、背面部３２０ａを独立した部材としてもよく、この場合、ベース枠部３２は背面部３２０ａを除いた構成とする。
【００３３】
背面部３２０ａの前面Ｆ１における下端付近には、図６に示すように、クレードル３の内部方向に向けて突出する凸部３２０ｆが設けられている。フロント板部３２０ｂにおける、ベース板部３２０ａの前面Ｆ１に対向する面の下端付近には、クレードル３の内部方向に向けて突出する凸部３２０ｇが設けられている。
【００３４】
背面部３２０ａ、フロント板部３２０ｂ、第１側板部３２０ｃ、第２側板部３２０ｄ、底板部３２０ｅで囲まれた空間は、凸部３２０ｆ及び凸部３２０ｇにより上下に略仕切られている。すなわち、凸部３２０ｆ及び凸部３２０ｇから成る仕切り部が、タブレット端末２が収容される内部空間３４と、ＵＳＢケーブル３２４を収容するケーブル格納空間Ｒとを略仕切る機能を有する。
【００３５】
また、凸部３２０ｆの突出先端部分と凸部３２０ｇの突出先端部分との間には間隙Ｄが設けられている。間隙Ｄの幅は、ＵＳＢケーブル３２４の線部３２４ａの太さより大きく、タブレット端末２の厚さより小さい幅であればよい。また、ＵＳＢプラグ３２４ｂが通過できない幅であればなおよい。
【００３６】
すなわち、仕切り部には、間隙Ｄが設けられており、これにより、タブレット端末２及びＵＳＢプラグ３２４ｂが、内部空間３４からケーブル格納空間Ｒへと落ち込んでしまうのを避けることができる。
【００３７】
ここで、クレードル３の内部にタブレット端末２が保持されるとき、図７に模式的に示すように、ケーブル格納空間Ｒには、ＵＳＢケーブル３２４の線部３２４ａの一部が挿入され、内部空間３４の下側の空間である空間Ｃ１には、タブレット端末２の下端部分が挿入される。また、クレードル３の内部にタブレット端末２が保持されるとき、内部空間３４のうち、カバー枠上側部３１ａに設けられた凹部である空間Ｃ２には、タブレット端末２の上端部分が挿入される。これにより、タブレット端末２は、クレードル３の内部で安定的に保持される。
【００３８】
また、図６及び図７に示すように、凸部３２０ｆ及び凸部３２０ｇには、複数のリブ３２０ｊ及びリブ３２０ｉが設けられており、リブ３２０ｊ及びリブ３２０ｉの断面は、図７に示すように、上から下へ向かうにつれて傾斜が緩くなっている。このため、ＵＳＢケーブル３２４が、自重により内部空間３４側からケーブル格納空間Ｒ側へと自然に落ち込みやすくなる。よって、ＵＳＢケーブル３２４が内部空間３４側に存在して、タブレット端末２の下面と、凸部３２０ｆ及び凸部３２０ｇの少なくとも一方の上面とで挟みこんでしまう状態になるのを避けることができる。したがって、ＵＳＢケーブル３２４が上述のように挟み込まれて断線してしまうなどというトラブルが生じるのを避け得る。
【００３９】
なお、凸部３２０ｆ及び凸部３２０ｇに、リブ３２０ｊ及びリブ３２０ｉを設けない構成としてもよい。
【００４０】
＜動作＞
以上のように構成された照明制御システム１における、クレードル３から、収容状態にあるタブレット端末２を、ユーザが取り出すときの、タブレット端末２及びクレードル３の動きについて、図８（ａ）〜図８（ｃ）、及び図９（ａ）〜（ｂ）を用いて説明する。
【００４１】
図８（ａ）は、収容状態を示す。
【００４２】
ユーザは、タブレット端末２を取り出す場合、まず図８（ｂ）に示すように、カバー枠部３１をベース枠部３２から外す。そうすると、タブレット端末２の上部、右側面の上側部分、ＵＳＢケーブル３２４の一部である線部３２４ａ、及びＵＳＢプラグ３２４ｂが露出する。
【００４３】
ここで、図９（ａ）は、カバー枠部３１が外された場合の、タブレット端末２及びクレードル３を右側から見た図である。図９（ａ）において、壁ＷＡはクレードル３が取り付けられる壁を模式的に示す。壁面ＷＦは、クレードル３を取り付ける取付面を示す。端子台部３２１及び電源部３２２は、壁ＷＡに設けられる凹部に格納される。凸部３２１ｉは、タブレット端末２が右方向に所定長以上スライドしないように規制している。
【００４４】
図９（ａ）に示すように、クレードル３におけるベース板部３２０ａの表面とＵＳＢプラグ３２４ｂとの最短距離ＢＤは、ユーザの指が入るほど大きくない。この状態では、ユーザは、ＵＳＢプラグ３２４ｂを把持しにくく、ＵＳＢケーブル３２４、詳細にはＵＳＢプラグ３４２ｂをタブレット端末２から取り外しにくい。
【００４５】
次に、ユーザは、図８（ｃ）及び図９（ｂ）に示すように、タブレット端末２の下端が露出するまでタブレット端末２を上方に持ち上げる。そして、ユーザは、タブレット端末２の右側面を前方に動かしつつ、右方向に動かす。これにより、タブレット端末２は、凸部３２１ｉによる位置の規制を回避できる状態になる。このとき、ＵＳＢプラグ３２４ｂがタブレット２に付随して右斜め前方に移動するのに伴い、ケーブル格納空間Ｒ内に収まっていたＵＳＢケーブル３２４ａの一部分（３２４ｃ）が、引き上げられて間隙Ｄを通り外部に露出する。このため、ＵＳＢケーブル３２４がすぐにピンと張った状態となってユーザがタブレット端末２を自由に動かしにくくなるという状態となるのを避けることができる。
【００４６】
そして、図９（ｂ）に示すように、最短距離ＢＤが、ユーザの指が入る程度大きくなる。この状態では、ユーザは、ＵＳＢプラグ３２４ｂを簡単に把持できるので、ＵＳＢケーブル３２４、詳細にはＵＳＢプラグ３２４ｂをタブレット端末２から容易に外すことができる。また、ユーザは、図９（ｂ）に示すように、ＵＳＢプラグ３２４ｂをよりしっかり把持できるよう、タブレット端末２を前傾させて最短距離ＢＤをさらに大きくしてもよい。
【００４７】
そして、ユーザは、タブレット端末２に接続されているＵＳＢプラグ３２４ｂを把持してタブレット端末２から取り外す。
【００４８】
なお、タブレット端末２を、ＵＳＢプラグ３２４ｂを接続した上でクレードル３の内部空間３４に戻す場合には、ＵＳＢケーブル３２４ａの一部分は、間隙Ｄを通りケーブル格納空間Ｒ内に収まる。
【００４９】
＜変形例＞
以上、本発明に係るクレードルの実施形態を説明したが、例示したクレードルを以下のように変形することも可能であり、本発明が上述の実施形態で示した通りのクレードルに限られないことは勿論である。
【００５０】
（１）第１の実施形態では、タブレット端末２に給電するために、クレードル３が備えるＵＳＢケーブル３２４を使用していたが、これに限らず、タブレット端末２に給電可能な規格に準じるケーブルであれば足りる。
【００５１】
また、ＵＳＢプラグ３２４ｂは、マイクロＵＳＢプラグであるとしたが、これに限らず、ＵＳＢ規格を遵守するプラグであれば足りる。例えば、ミニＵＳＢプラグであってもよい。
【００５２】
（２）第１の実施形態では、タブレット端末２及びクレードル３は横長形状であったが、これに限らず、縦長形状及び正方形状であってもよい。
【００５３】
（３）第１の実施形態では、ベース枠部３２と背面部３２０は一体とされていたが、一体でなくてもよく、背面部の少なくとも一部がカバー枠部３１と一体化されていてもよい。また背面部はなくてもよい。なお、背面部に設置していた電源部３２２は別置きなどとしてもよい。
【００５４】
（４）第１の実施形態では、クレードル３は、タブレット端末２を収容したときに、タブレット端末２の端部を全て覆っていたが、これに限らず、端部の一部は覆っていなくてもよい。例えば、タブレット端末２が平板状で４側面を有する場合に、クレードル３はタブレット端末２を収容した状態で、４側面のうち少なくとも３つを覆うこととしてもよい。
【００５５】
また、タブレット端末２における、収容状態においてクレードル３が覆っていない側面にＵＳＢコネクタが備えられ、ＵＳＢプラグが接続され、収容状態においてＵＳＢプラグ及びＵＳＢケーブルの一部が露出するような態様としてもよい。ＵＳＢプラグの大きさが小さく形成できる場合に、ＵＳＢプラグとクレードル３の背面部との間に、少なくともユーザの指が入る程度の間隔ができるような構成とすることができる。そうすると、タブレット端末２がクレードル３に収容された状態においても、ＵＳＢプラグの取り付け、取り外しが可能となる。
【００５６】
（５）クレードルの設置場所は、壁の他、パーティション、棚、机、柱などであってもよく、とくに限定されない。
【００５７】
（６）上述の実施形態及び各変形例を、部分的に組み合せてもよい。
【００５８】
＜補足＞
以下、更に本発明の一実施形態としてのクレードルの構成及びその変形例と効果について説明する。
【００５９】
（１）本発明の一実施形態に係るクレードルは、長方形板状の制御端末を収容するためのクレードルであって、前記制御端末を収容した状態において前記制御端末の４側面のうち少なくとも３つを覆い、前記クレードルは、前記制御端末の４側面のうちの一に接続されるケーブルと、前記制御端末が載置され少なくとも下部を構成するベース枠部と、少なくとも上部を構成し、前記ベース枠部と分離可能なカバー枠部とを備え、前記制御端末を収容した状態において、前記ベース枠部から前記カバー枠部が分離された場合に前記ケーブルが露出する。
【００６０】
この構成によれば、本発明に係るクレードルは、制御端末を収容した状態において、ケーブルが露出するのを防ぎ、意匠性を向上させることができる。
【００６１】
（２）また、前記ベース枠部は、前記ケーブルの少なくとも一部を格納するケーブル格納空間を有するとしてもよい。
【００６２】
この構成によれば、ケーブルの一部がケーブル格納空間に格納されるので、ケーブルの一部が制御端末とベース枠部とで挟みこまれてしまうのを防ぐことができる。
【００６３】
（３）また、前記ベース枠部は、前記制御端末の下部を格納する内部空間を有し、前記内部空間と、前記ケーブル格納空間とは仕切り部により仕切られていることとしてもよい。
【００６４】
この構成によれば、制御端末が格納される空間と、ケーブルの一部が格納される空間が別個に設けられているので、ケーブルの一部が制御端末とベース枠部とで挟みこまれてしまうのを防ぐことができる。
【００６５】
（４）前記仕切り部は、前記ケーブルの太さより大きく、前記制御端末の厚さより小さい幅の間隙を有していることとしてもよい。
【００６６】
この構成によれば、制御端末が、ケーブルがケーブル格納空間に格納されるとともに、制御端末が、ケーブル格納空間へと落ち込んでしまうのを避けることができる。
【００６７】
また、制御端末が、ケーブルが接続された状態でベース枠部に載置された状態から持ち上げられた場合に、制御端末が持ち上げられた距離に応じて、ケーブルの一部がケーブル格納空間から内部空間側に出る。よって、内部空間側に存在するケーブルの長さが長くなるので、制御端末を動かす場合に、すぐにケーブルがピンと張ってしまい、ユーザが制御端末を動かしにくくなるという状態となるのを避けることができる。
【００６８】
（５）前記仕切り部は、前記ケーブルの一部が前記ケーブルの自重により、前記内部空間から前記ケーブル格納空間に落ちこむよう傾斜が設けられていることとしてもよい。
【００６９】
この構成によれば、ケーブルが内部空間側に存在し、制御端末の下面と、仕切り部とで挟みこんでしまう状態になるのを避けやすくできる。したがって、ケーブルが上述のように挟み込まれて断線してしまうなどというトラブルが生じるのを避け得る。
【符号の説明】
【００７０】
１  照明制御システム
２  タブレット端末
３  クレードル
２１  本体部
２２  タッチパネル
２３  ＵＳＢソケット
２４  操作ボタン
３１  カバー枠部
３１ａ  カバー枠上側部
３１ｂ  カバー枠横側部
３１ｃ  開口
３２  ベース枠部
３２１  端子台部
３２２  電源部
３２３  開口
３２４  ＵＳＢケーブル
３２４ａ  ＵＳＢプラグ
３２４ｂ  線部
【図１】
2018164239.tif 000003
【図２】
2018164239.tif 000004
【図３】
2018164239.tif 000005
【図４】
2018164239.tif 000006
【図５】
2018164239.tif 000007
【図６】
2018164239.tif 000008
【図７】
2018164239.tif 000009
【図８】
2018164239.tif 000010
【図９】
2018164239.tif 000011